(57)【要約】【課題】ユーザの動きによって生じる結果を容易に予測する。【解決手段】端末装置の所持者の動きを検出する動き検出部１と、端末装置の所持者の動きによって生じた結果を取得する結果取得部２と、動き検出部１にて検出された動きと、その動きによって生じて結果取得部２にて取得された結果とを対応づけてログ情報として保存する情報保存部３と、情報保存部３にて保存されたログ情報に基づいて、端末装置の所持者の動きによって生じる結果を予測する結果予測部４とを有する。【選択図】図１
2013012032.tif 000002
【特許請求の範囲】
【請求項１】
端末装置の所持者の動きを検出する動き検出手段と、
前記端末装置の所持者の動きによって生じた結果を取得する結果取得手段と、
前記動き検出手段にて検出された動きと、その動きによって生じて前記結果取得手段にて取得された結果とを対応づけてログ情報として保存する情報保存手段と、
前記情報保存手段にて保存されたログ情報に基づいて、端末装置の所持者の動きによって生じる結果を予測する結果予測手段とを有する情報処理システム。
【請求項２】
請求項１に記載の情報処理システムにおいて、
前記端末装置にネットワークを介して接続可能なサーバを有し、
前記端末装置は、
前記動き検出手段と、
前記結果取得手段と、
前記動き検出手段にて検出された動きと、その動きによって生じて前記結果取得手段にて取得された結果とを対応づけたログ情報を前記サーバに送信する第１の通信手段とを有し、
前記サーバは、
前記端末装置から送信されてきたログ情報を受信する第２の通信手段と、
前記情報保存手段と、
前記結果予測手段とを有し、
前記情報保存手段は、前記第２の通信手段にて受信されたログ情報を保存する情報処理システム。
【請求項３】
請求項１または請求項２に記載の情報処理システムにおいて、
前記端末装置の位置情報を取得する位置取得手段を有し、
前記結果取得手段は、前記位置取得手段にて取得された前記端末装置の位置情報に基づいて当該端末装置の所持者の移動距離を算出し、該算出結果を用いて当該端末装置の所持者の動きによって生じた結果を取得する情報処理システム。
【請求項４】
請求項１乃至３のいずれか１項に記載の情報処理システムにおいて、
前記端末装置の所持者が前記動きをする環境を受け付ける環境受付手段を有し、
前記結果予測手段は、前記情報保存手段にて保存されたログ情報と、前記環境受付手段にて受け付けられた環境とに基づいて、端末装置の所持者の動きによって生じる結果を予測する情報処理システム。
【請求項５】
動きによって生じる結果を予測するために用いる端末装置であって、
前記端末装置の所持者の動きを検出する動き検出手段と、
前記端末装置の所持者の動きによって生じた結果を取得する結果取得手段と、
前記動き検出手段にて検出された動きと、その動きによって生じて前記結果取得手段にて取得された結果とを対応づけてログ情報として保存する情報保存手段と、
前記情報保存手段にて保存されたログ情報に基づいて、端末装置の所持者の動きによって生じる結果を予測する結果予測手段とを有する端末装置。
【請求項６】
動きによって生じる結果を予測するために用いる端末装置であって、
前記端末装置の所持者の動きを検出する動き検出手段と、
前記端末装置の所持者の動きによって生じた結果を取得する結果取得手段と、
前記動き検出手段にて検出された動きと、その動きによって生じて前記結果取得手段にて取得された結果とを対応づけたログ情報を、端末装置の所持者の動きによって生じる結果を前記ログ情報に基づいて予測するサーバに送信する第１の通信手段とを有する端末装置。
【請求項７】
請求項５または請求項６に記載の端末装置において、
前記端末装置の位置情報を取得する位置取得手段を有し、
前記結果取得手段は、前記位置取得手段にて取得された前記端末装置の位置情報に基づいて当該端末装置の所持者の移動距離を算出し、該算出結果を用いて当該端末装置の所持者の動きによって生じた結果を取得する端末装置。
【請求項８】
端末装置の所持者の動きを検出する動き検出処理と、
前記端末装置の所持者の動きによって生じた結果を取得する結果取得処理と、
前記動き検出処理にて検出された動きと、その動きによって生じて前記結果取得処理にて取得された結果とを対応づけてログ情報として保存する情報保存処理と、
前記情報保存処理にて保存されたログ情報に基づいて、端末装置の所持者の動きによって生じる結果を予測する結果予測処理とを有する情報処理方法。
【請求項９】
動きによって生じる結果を予測するために用いる端末装置に、
前記端末装置の所持者の動きを検出する動き検出手順と、
前記端末装置の所持者の動きによって生じた結果を取得する結果取得手順と、
前記動き検出手順にて検出された動きと、その動きによって生じて前記結果取得手順にて取得された結果とを対応づけてログ情報として保存する情報保存手順と、
前記情報保存手順にて保存されたログ情報に基づいて、端末装置の所持者の動きによって生じる結果を予測する結果予測手順とを実行させるためのプログラム。
【請求項１０】
動きによって生じる結果を予測するために用いる端末装置に、
前記端末装置の所持者の動きを検出する動き検出手順と、
前記端末装置の所持者の動きによって生じた結果を取得する結果取得手順と、
前記動き検出手順にて検出された動きと、その動きによって生じて前記結果取得手順にて取得された結果とを対応づけたログ情報を、端末装置の所持者の動きによって生じる結果を前記ログ情報に基づいて予測するサーバに送信する通信手順とを実行させるためのプログラム。
【発明の詳細な説明】
【技術分野】
【０００１】
本発明は、ユーザの動きによって生じる結果を予測する情報処理システム、端末装置、情報処理方法及びプログラムに関する。
【背景技術】
【０００２】
ゴルフにおいて、ホールインワンやアルバトロスが出た場合に記念品等を贈呈することが行われている。そのため、ゴルフの主催者は、ホールインワンやアルバトロスが出た場合、記念品等を購入するための費用を負担することになる。そこで、この記念品等のための出費を鑑みてホールインワン保険が販売されている（例えば、特許文献１参照）。このホールインワン保険は、一般的な生命保険と同様に、一定の保険料を支払うことで、ホールインワンやアルバトロスが出た場合に、予め決められた保険金が支払われ、その保険金で記念品等を購入することができる。
【先行技術文献】
【特許文献】
【０００３】
【特許文献１】特開２００２−１３３１１９号公報
【発明の概要】
【発明が解決しようとする課題】
【０００４】
しかしながら、上述したようなホールインワン保険においては、ゴルフの実力とは無関係に保険料の額が提示されるため、初級者にとっては適用可能性が低いことに対して保険料が高額に感じられ、加入がためらわれてしまう。そこで、ゴルフの実力に応じた保険料を設定することが考えられるが、ゴルフの実力を判断するには、ゴルフのプレイヤーのスイング等そのプレイに関わる動きによって生じた結果を予測する必要がある。
【０００５】
ところが、上述したように、ユーザの動きによって生じる結果を予測することは、その動きに関する専門家でないと難しいものがある。
【０００６】
本発明は、上述したような技術が有する問題点に鑑みてなされたものであって、ユーザの動きによって生じる結果を容易に予測することができる情報処理システム、端末装置、情報処理方法及びプログラムを提供することを目的とする。
【課題を解決するための手段】
【０００７】
上記目的を達成するために本発明は、
端末装置の所持者の動きを検出する動き検出手段と、
前記端末装置の所持者の動きによって生じた結果を取得する結果取得手段と、
前記動き検出手段にて検出された動きと、その動きによって生じて前記結果取得手段にて取得された結果とを対応づけてログ情報として保存する情報保存手段と、
前記情報保存手段にて保存されたログ情報に基づいて、端末装置の所持者の動きによって生じる結果を予測する結果予測手段とを有する。
【０００８】
また、動きによって生じる結果を予測するために用いる端末装置であって、
前記端末装置の所持者の動きを検出する動き検出手段と、
前記端末装置の所持者の動きによって生じた結果を取得する結果取得手段と、
前記動き検出手段にて検出された動きと、その動きによって生じて前記結果取得手段にて取得された結果とを対応づけてログ情報として保存する情報保存手段と、
前記情報保存手段にて保存されたログ情報に基づいて、端末装置の所持者の動きによって生じる結果を予測する結果予測手段とを有する。
【０００９】
また、動きによって生じる結果を予測するために用いる端末装置であって、
前記端末装置の所持者の動きを検出する動き検出手段と、
前記端末装置の所持者の動きによって生じた結果を取得する結果取得手段と、
前記動き検出手段にて検出された動きと、その動きによって生じて前記結果取得手段にて取得された結果とを対応づけたログ情報を、端末装置の所持者の動きによって生じる結果を前記ログ情報に基づいて予測するサーバに送信する第１の通信手段とを有する。
【００１０】
また、動きによって生じる結果を予測するために用いる端末装置に実行させるためのプログラムであって、
前記端末装置の所持者の動きを検出する動き検出手順と、
前記端末装置の所持者の動きによって生じた結果を取得する結果取得手順と、
前記動き検出手順にて検出された動きと、その動きによって生じて前記結果取得手順にて取得された結果とを対応づけてログ情報として保存する情報保存手順と、
前記情報保存手順にて保存されたログ情報に基づいて、端末装置の所持者の動きによって生じる結果を予測する結果予測手順とを実行させる。
【００１１】
また、動きによって生じる結果を予測するために用いる端末装置に実行させるためのプログラムであって、
前記端末装置の所持者の動きを検出する動き検出手順と、
前記端末装置の所持者の動きによって生じた結果を取得する結果取得手順と、
前記動き検出手順にて検出された動きと、その動きによって生じて前記結果取得手順にて取得された結果とを対応づけたログ情報を、端末装置の所持者の動きによって生じる結果を前記ログ情報に基づいて予測するサーバに送信する通信手順とを実行させる。
【発明の効果】
【００１２】
本発明は以上説明したように構成されているので、端末装置の所持者についてその動きによって生じる結果を容易に予測することができる。
【図面の簡単な説明】
【００１３】
【図１】本発明の情報処理システムの概略を示すブロック図である。
【図２】図１に示した情報処理システムの実施の一形態となるホールインワン保険設定システムの一例を示す図であり、（ａ）は全体の構成を示す図、（ｂ）は（ａ）に示した携帯端末の構成を示す図である。
【図３】図２に示したホールインワン保険設定システムにてホールインワン保険を設定するためのデータ収集方法を説明するためのフローチャートである。
【図４】図２に示したホールインワン保険設定システムにて収集されたデータに基づいてホールインワン保険を設定する方法を説明するためのフローチャートである。
【発明を実施するための形態】
【００１４】
以下に、本発明の実施の形態について図面を参照して説明する。
【００１５】
図１は、本発明の情報処理システムの概略を示すブロック図である。
【００１６】
本発明の情報処理システムは図１に示すように、動き検出手段となる動き検出部１と、結果取得手段となる結果取得部２と、情報保存手段となる情報保存部３と、結果予測手段となる結果予測部４とから構成されている。
【００１７】
上記のように構成された情報処理システムにおいては、動き検出部１において、この情報処理システムに用いられる端末装置の所持者の動きを検出し、また、結果取得部２において、端末装置の所持者の動きによって生じた結果を取得する。そして、情報保存部３において、動き検出部１にて検出された動きと、その動きによって生じて結果取得部２にて取得された結果とを対応づけてログ情報として保存しておく。その後、結果予測部４において、情報保存部３にて保存されたログ情報に基づいて、端末装置の所持者の動きによって生じる結果を予測する。
【００１８】
以下に、上述した情報処理システムについて具体的な例を挙げて説明する。
【００１９】
図２は、図１に示した情報処理システムの実施の一形態となるホールインワン保険設定システムの一例を示す図であり、（ａ）は全体の構成を示す図、（ｂ）は（ａ）に示した携帯端末１０の構成を示す図である。
【００２０】
本形態におけるホールインワン保険設定システムは図２に示すように、端末装置となる携帯端末１０とサーバ３０とがネットワーク４０を介して接続可能に構成されたものである。
【００２１】
携帯端末１０は図１（ｂ）に示すように、ＣＰＵ１１と、ＲＯＭ１２と、ＲＡＭ１３と、電源処理部１４と、入出力処理部１５と、加速度センサ１６と、ジャイロセンサ１７と、位置取得手段となるＧＰＳ１８と、センサ制御部１９と、スイング取得部２０と、飛距離取得部２１と、ログ取得部２２と、端末制御部２３と、第１の通信手段となる通信制御部２４と、ログ保存部２５とを有しており、加速度センサ１６、ジャイロセンサ１７及びスイング取得部２０が図１に示した動き検出部１に相当し、また、飛距離取得部２１が図１に示した結果取得部２に相当する。
【００２２】
ＣＰＵ１１及び端末制御部２３は、携帯端末１０の動作を司るものである。
【００２３】
ＲＯＭ１２は、携帯端末１０が動作するためのプログラム等が書き込まれたものであり、このプログラム等がＲＡＭ１３上に読み出されて携帯端末１０が動作する。
【００２４】
電源処理部１４は、バッテリー等を含み、携帯端末１０を動作させるための電源を制御するものである。
【００２５】
入出力処理部１５は、キーボタンやタッチパネル、マイク等の入力手段と、表示パネルやスピーカ等の出力手段とからなり、情報を入出力するものである。そして、携帯端末１０の所持者がゴルフを行う環境として、コースの全長やカップの位置等を含むコース情報が入力される。
【００２６】
加速度センサ１６及びジャイロセンサ１７は、この携帯端末１０の所持者の動きとなるゴルフクラブのスイングモーションを検出するためのセンサである。
【００２７】
ＧＰＳ１８は、携帯端末１０の位置情報を取得することで、ゴルフボールが飛んだ位置を検出するためのものである。
【００２８】
センサ制御部１９は、これら加速度センサ１６、ジャイロセンサ１７及びＧＰＳ１８を制御するものである。
【００２９】
スイング取得部２０は、加速度センサ１６やジャイロセンサ１７にて検出された、この携帯端末１０の所持者のゴルフクラブのスイングモーションを、ログ取得部２２を介して取得する。
【００３０】
飛距離取得部２１は、ＧＰＳ１８にて取得された携帯端末１０の位置情報をログ取得部２２を介して取得し、この位置情報に基づいて、携帯端末１０の所持者の移動距離を算出し、この算出結果を用いてゴルフボールの飛距離を取得する。
【００３１】
ログ取得部２２は、上述したように、加速度センサ１６やジャイロセンサ１７にて検出された、この携帯端末１０の所持者のゴルフクラブのスイングモーションのスイング取得部２０における取得を仲介し、ＧＰＳ１８にて取得された携帯端末１０の位置情報の飛距離取得部２１における取得を仲介する。
【００３２】
通信制御部２４は、スイング取得部２０にて取得された、この携帯端末１０の所持者のゴルフクラブのスイングモーションと、そのスイングモーションによって生じて飛距離取得部２１にて取得されたゴルフボールの飛距離とを対応づけたログ情報をサーバ３０に送信し、また、ログ保存部２５はこれらの情報を保存する。また、ログ保存部２５に保存されたログ情報のうちスイングモーションと、入出力処理部１５を介して入力されたコース情報をサーバ３０に送信する。
【００３３】
また、サーバ３０は、第２の通信手段となる通信部３１と、情報保存部３２と、環境受付手段となる条件取得部３３と、保険料設定部３４とを有しており、情報保存部３２が図１に示した情報保存部３に相当し、また、保険料設定部３４が図１に示した結果予測部４に相当する。
【００３４】
通信部３１は、携帯端末１０から送信されてきたログ情報や、スイングモーション、コース情報を受信する。
【００３５】
情報保存部３２は、通信部３１を介して受信したログ情報を保存する。なお、通信部３１を介して受信したログ情報は、スイング取得部２０にて取得された、携帯端末１０の所持者のゴルフクラブのスイングモーションと、そのスイングモーションによって生じて飛距離取得部２１にて取得されたゴルフボールの飛距離とが対応づけられているため、これらを対応づけた状態で保存する。
【００３６】
条件取得部３３は、通信部３１を介して受信されたスイングモーションやコース情報を取得する。
【００３７】
保険料設定部３４は、情報保存部３２にて保存されたログ情報と、条件取得部３３にて取得された、携帯端末１０の所持者のゴルフクラブのスイングモーションや、入出力処理部１５を介して入力されたコース情報に基づいて、ホールインワンやアルバトロスが出る確率を予測し、その確率に応じた保険料を設定する。
【００３８】
以下に、上記のように構成されたホールインワン保険設定システムにおける情報処理方法となる保険設定方法について説明する。
【００３９】
まず、ホールインワン保険を設定するためのデータ収集方法について説明する。
【００４０】
図３は、図２に示したホールインワン保険設定システムにてホールインワン保険を設定するためのデータ収集方法を説明するためのフローチャートである。
【００４１】
ゴルフのプレイヤーは、携帯端末１０を所持してプレイする。プレイを開始する前に、まず、使用するゴルフクラブの種類（ドライバー、Ｘ番アイアン等）を携帯端末１０の入出力処理部１５を介して登録すると、端末制御部２３は、登録されたゴルフクラブの種類をログ保存部２５に保存する（ステップ１）。
【００４２】
次に、ゴルフのプレイヤーがそのゴルフクラブを用いてスイングをすると、加速度センサ１６あるいはジャイロセンサ１７が、ゴルフクラブのスイングモーションを検出し、スイング取得部２０が、このスイングモーションを、センサ制御部１９、端末制御部２３及びログ取得部２２を介して取得し、ステップ１にてログ保存部２５に登録されたゴルフクラブの種類に対応づけてログ保存部２５に保存する（ステップ２）。この結果、ログ保存部２５には、プレイヤーが使用したゴルフクラブの種類とスイングモーションとが対応づけて保存される。
【００４３】
また、飛距離取得部２１は、ＧＰＳ１８にて取得されている携帯端末１０の位置情報のうち、ゴルフのプレイヤーがそのスイングをした時の携帯端末１０の位置情報を、センサ制御部１９、端末制御部２３及びログ取得部２２を介して取得する（ステップ３）。
【００４４】
飛距離取得部２２は、ＧＰＳ１８にてその後に取得されている携帯端末１０の位置情報に基づいて、プレイヤーが次のホールに移動したかどうかを判断し（ステップ４）、次のホールに移動していないと判断した場合は、端末制御部２３は、その後、ゴルフクラブの変更が入出力処理部１５を介して入力されたかどうかを判定する（ステップ５）。なお、飛距離取得部２２には、各ホールの位置情報が登録されており、飛距離取得部２２はこの各ホールの位置情報と、ＧＰＳ１８にて取得されている携帯端末１０の位置情報とに基づいて、プレイヤーが次のホールに移動したかどうかを判定することができる。
【００４５】
ステップ５にてゴルフクラブの種類の変更が入出力処理部１５を介して登録されたと判定された場合は、端末制御部２３は、入出力処理部１５を介して登録されたゴルフクラブの種類をログ保存部２５に保存する（ステップ６）。なお、このタイミングにおいては、ログ保存部２５において、変更したゴルフクラブの種類には、スイングモーションは対応づけられていない。
【００４６】
その後、ゴルフのプレイヤーがそのゴルフクラブを用いてスイングをし、加速度センサ１６あるいはジャイロセンサ１７が、ゴルフクラブのスイングモーションを検出すると（ステップ７）、飛距離取得部２１において、そのスイング時にＧＰＳ１８にて取得された携帯端末１０の位置情報と、ステップ３にて取得した位置情報とから、ゴルフボールの飛距離を算出する（ステップ８）。そして、飛距離取得部２１は、この算出した飛距離を、ステップ２にて対応づけてログ保存部２５に保存されているゴルフクラブの種類及びスイングモーションと対応づけてログ保存部２５に保存する。この結果、ログ保存部２５には、プレイヤーが使用したゴルフクラブの種類とスイングモーションとゴルフボールの飛距離とが対応づけて保存される。
【００４７】
また、スイング取得部２０において、加速度センサ１６あるいはジャイロセンサ１７にて検出されたスイングモーションを取得し、このスイングモーションを、ステップ５にてゴルフクラブの変更が入出力処理部１５を介して入力された場合はステップ６にてログ保存部２５に登録されたゴルフクラブの種類に対応づけ、また、ステップ５にてゴルフクラブの変更が入出力処理部１５を介して入力されていない場合は、ステップ１にてログ保存部２５に登録されたゴルフクラブの種類に対応づけてログ保存部２５に保存する（ステップ９）。この結果、ログ保存部２５には、プレイヤーが使用したゴルフクラブの種類とそのゴルフクラブを用いたスイングモーションとが対応づけて保存される。  また、ステップ５にてゴルフクラブの種類の変更が入出力処理部１５を介して登録されていないと判定された場合は、ステップ６における処理は行わず、ステップ７におけるスイングモーションの検出を待つ状態となる。
【００４８】
一方、ステップ４にて次のホールに移動したと判断された場合は、飛距離取得部２１は、前のホールのカップの位置をゴルフボールが飛んだ位置をして、ステップ３にて取得した位置と前のホールのカップの位置とに基づいて飛距離を算出する（ステップ１０）。なお、飛距離取得部２２には、各ホールのカップの位置情報が登録されており、飛距離取得部２２はこの各ホールのカップの位置情報と、ＧＰＳ１８にて取得された携帯端末１０の位置情報に基づいて、ゴルフボールの飛距離を算出することができる。そして、飛距離取得部２１は、この算出した飛距離を、ステップ２にて対応づけてログ保存部２５に保存されているゴルフクラブの種類及びスイングモーションと対応づけてログ保存部２５に保存する。この結果、ステップ８と同様に、ログ保存部２５には、プレイヤーが使用したゴルフクラブの種類とスイングモーションとゴルフボールの飛距離とが対応づけて保存される。
【００４９】
上述した一連の処理を全ホールが終了するまで繰り返し行い（ステップ１１）、全ホールが終了した後、通信制御部２４は、ログ保存部２５に保存されたログ情報をネットワーク４０を介してサーバ３０に送信する（ステップ１２）。なお、全ホールが終了したかどうかは、入出力処理部１５を介した情報に基づいて判断してもよいし、ＧＰＳ１８にて取得されている携帯端末１０の位置情報に基づいて判断してもよい。また、携帯端末１０の入出力制御部１５を介して入力された命令に従ってログ情報をサーバ３０に送信してもよい。
【００５０】
また、ステップ９における処理の後、ステップ４における処理に戻り、飛距離取得部２２は、ＧＰＳ１８にてその後に取得されている携帯端末１０の位置情報に基づいて、プレイヤーが次のホールに移動したかどうかを判断し、ステップ５〜１２の処理を行うことになるが、ステップ８やステップ１０における飛距離の算出は、その時点にてＧＰＳ１８にて取得された携帯端末１０の位置情報やカップの位置と、前のループにおけるステップ８の処理時にてＧＰＳ１８にて取得された携帯端末１０の位置情報とに基づいて算出され、上記同様にしてその飛距離とスイングフォームとゴルフクラブの種類とが対応づけてログ保存部２５に保存されることになる。
【００５１】
サーバ３０は、携帯端末１０から送信されてきたログ情報を通信部３１を介して受信すると、情報保存部３２において、ログ情報にて互いに対応づけられた、ゴルフクラブの種類とスイングモーションとゴルフボールの飛距離とを対応づけて保存する。なお、サーバ３０は、上述した処理にて本システムを利用する全てのユーザからのログを受け付けるため、多数のゴルファーのログ情報を保持することになる。
【００５２】
次に、上述したようにして収集されたデータに基づいてホールインワン保険を設定する方法について説明する。
【００５３】
図４は、図２に示したホールインワン保険設定システムにて収集されたデータに基づいてホールインワン保険を設定する方法を説明するためのフローチャートである。
【００５４】
携帯端末１０には、携帯端末１０の所持者が直前のラウンド等でスイングした際に上記同様にして取得されたスイングフォームがログ保存部２５に保存されている。
【００５５】
そして、携帯端末１０を所持するプレイヤーが、ホールインワン保険に加入するために、これからプレイするゴルフ場のコース情報を入出力処理部１５を介して入力し、この入力されたコース情報とログ保存部２５に保存されたスイングフォームとが携帯端末１０の通信制御部２４から送信されると、これらの情報はサーバ３０の通信部３１を介して条件取得部３３が取得する（ステップ２１）。
【００５６】
すると、保険料設定部３４において、まず、情報保存部３２に保存されているログ情報を参照し、条件取得部３３にて取得したスイングフォームに類似するスイングフォームに対応づけられた飛距離を抽出し、ホールインワン保険に加入しようとしているプレイヤーのゴルフボールの飛距離を推定する（ステップ２２）。これは、情報保存部３２に保存されているプレイヤー自身のスイングフォームに対応づけられた飛距離や、そのスイングフォームに類似する他のプレイヤーのスイングフォームに対応づけられた飛距離を参照して飛距離を推定することになる。またこの際、情報保存部３２には、ゴルフクラブの種類も保存されているため、携帯端末１０からゴルフクラブの種類も送信し、飛距離の推定にゴルフクラブの種類も用いてもよい。
【００５７】
また、保険料設定部３４は、推定した飛距離と、条件取得部３３にて取得したコース情報に含まれるコースの全長やカップに位置とに基づいて、ホールインワンやアルバトロスが出る確率を予測する（ステップ２３）。
【００５８】
そして、保険料設定部３４は、予測した確率に基づいて保険料を設定し（ステップ２４）、通信部３１がこの保険料を携帯端末１０に送信する（ステップ２５）。
【００５９】
携帯端末１０に送信された保険料は、携帯端末の入出力処理部１５の表示パネルに表示され、プレイヤーに通知されることになる。
【００６０】
このように本形態においては、ゴルフのプレイヤーに対して、そのプレイヤーのゴルフの実力に応じた適正な保険料を提示することで、下記２点の効果が得られる。
【００６１】
（１）保険が適用される可能性の低い初級者は低額な保険料が提示されることとなり、これまで自身の実力に対して保険料が高額であった被保険者が保険に入りやすくなり、保険加入者が増加する。
【００６２】
（２）保険事業者は、保険が適用される可能性が高い被保険者からは適切な保険料を徴収することができる。
【００６３】
（他の実施の形態）
上述した実施の形態においては、ゴルフにおけるホールインワン保険を設定するために、プレイヤーのスイングフォームから飛距離を予測するものを例に挙げて説明したが、本発明はこれに限らず、グランドゴルフやゲートボール、アーチェリー、弓道、射撃、野球、ダーツ等、プレイヤーの動きとその動きによって生じる結果とが対応づけられるものであれば様々なものに適用することができる。
【００６４】
また、上述した実施の形態のように、プレイヤーのスイングフォームから飛距離を予測し、これをホールインワン保険の保険料に反映させるのではなく、単純にスコアやラウンド組み合わせを設定することに用いることも考えられる。また、条件取得部３３にて取得されたスイングフォームと、情報保存部３２に保存されたログとに基づいて、次に使用するクラブや、狙う方向のリコメンド等を行うことも考えられる。さらには、上述したログ情報を、ゴルフの実施場所やゴルフコース毎に保存しておき、実際にプレイする実施場所やゴルフコースに応じてログ情報を用いる構成としてもよい。
【００６５】
また、上述した実施の形態においては、図１に示した情報処理システムの実施の一形態として、携帯端末１０とサーバ３０とがネットワーク４０を介して接続可能に構成された構成を例に挙げて説明したが、サーバ３０の構成を携帯端末１０に持たせ、他のプレイヤーのログ情報をネットワーク４０を介して携帯端末１０にて取得し、ログ保存部２５に保存しておき、携帯端末１０単体で上述した処理を行うことも考えられる。
【００６６】
また、本発明に用いられる端末装置は、上述したような携帯端末やスマートフォンに限らず、携帯音楽プレーヤーや携帯ゲーム機、タブレットＰＣやノートＰＣ等であってもよい。
【００６７】
また、本発明においては、端末装置内の処理は上述の専用のハードウェアに基づいて実現されるもの以外に、その機能を実現するためのプログラムを端末装置にて読取可能な記録媒体に記録し、この記録媒体に記録されたプログラムを端末装置に読み込ませ、実行するものであっても良い。端末装置にて読取可能な記録媒体とは、ＩＣカードやメモリカード、あるいは、フロッピーディスク（登録商標）、光磁気ディスク、ＤＶＤ、ＣＤ等の移設可能な記録媒体の他、端末装置に内蔵されたＨＤＤ等を指す。この記録媒体に記録されたプログラムは、例えば、制御ブロックにて読み込まれ、制御ブロックの制御に基づいて、上述したものと同様の処理が行われる。
【符号の説明】
【００６８】
１    動き検出部
２    結果取得部
３，３２    情報保存部
４    結果予測部
１０    携帯端末
１１    ＣＰＵ
１２    ＲＯＭ
１３    ＲＡＭ
１４    電源処理部
１５    入出力処理部
１６    加速度センサ
１７    ジャイロセンサ
１８    ＧＰＳ
１９    センサ制御部
２０    スイング取得部
２１    飛距離取得部
２２    ログ取得部
２３    端末制御部
２４    通信制御部
２５    ログ保存部
３０    サーバ
３１    通信部
３３    条件取得部
３４    保険料設定部
４０    ネットワーク
【図１】
2013012032.tif 000003
【図２】
2013012032.tif 000004
【図３】
2013012032.tif 000005
【図４】
2013012032.tif 000006